(57)【要約】【課題】映像表示面がフラットとなるスクリーン装置および投射型表示装置を提供すること。【解決手段】本発明は、透光性を有する支持基板１１と、支持基板１１の中央部に設けられる映像表示領域に配置されるレンズシート１０と、支持基板１１における映像表示領域の周辺を覆う状態に設けられる遮光マスク１２とを備えるスクリーン装置１である。また、本発明のスクリーン装置１では、支持基板１１における遮光マスク１２が設けられる部分にカバーを取り付けるための支持部材が取り付けられている。また、レンズシート１０としては、少なくともフレネルレンズ１０ａとレンチキュラーレンズ１０ｂとが重ね合わされたものから成る。【選択図】図１
2009168871.tif 000002
【特許請求の範囲】
【請求項１】
透光性を有する支持基板と、
前記支持基板の中央部に設けられる映像表示領域に配置されるレンズシートと、
前記支持基板における映像表示領域の周辺を覆う状態に設けられる遮光マスクと
を備えることを特徴とするスクリーン装置。
【請求項２】
前記支持基板における前記遮光マスクが設けられる部分にカバーを取り付けるための支持部材が設けられている
ことを特徴とする請求項１記載のスクリーン装置。
【請求項３】
前記レンズシートは、少なくともフレネルレンズとレンチキュラーレンズとが重ね合わされたものから成る
ことを特徴とする請求項１記載のスクリーン装置。
【請求項４】
背面から映像が投射されるスクリーン装置と、
前記スクリーン装置を前面として背面に取り付けられるカバーと、
前記カバーの内部に設けられ、前記スクリーン装置の背面に向けて投射する映像を生成する画像形成部とを備える投射型表示装置において、
前記スクリーン装置は、
透光性を有する支持基板と、
前記支持基板の中央部に設けられる映像表示領域に配置されるレンズシートと、
前記支持基板における映像表示領域の周辺を覆う状態に設けられる遮光マスクとを備える
ことを特徴とする投射型表示装置。
【請求項５】
前記支持基板における前記遮光マスクが設けられる部分に支持部材が設けられており、当該支持部材を介して前記カバーが取り付けられている
ことを特徴とする請求項４記載の投射型表示装置。
【請求項６】
前記カバーは、前記支持基板の外形より内側に収まっている
ことを特徴とする請求項４記載の投射型表示装置。
【請求項７】
前記レンズシートは、少なくともフレネルレンズとレンチキュラーレンズとが重ね合わされたものから成る
ことを特徴とする請求項４記載の投射型表示装置。
【発明の詳細な説明】
【技術分野】
【０００１】
本発明は、映像を背面から投射して前面側に透過表示させるスクリーン装置およびスクリーン装置を用いた投射型表示装置に関する。
【背景技術】
【０００２】
近年、大型の表示装置としてスクリーンの背面から映像を投影させるリアプロジェクション装置（投射型表示装置）の開発が盛んに行われている。リアプロジェクション装置は、映像信号をＬＣＤ等によって変調して得た映像光を拡大光学系によって拡大し、スクリーン装置の背面から投射して前面側に投影するものである。
【０００３】
リアプロジェクション装置では、映像光を拡大投影することから大きな画像を表示する装置に適しており、主として大型テレビジョン装置の一つとして製品化されている。
【０００４】
ここで、投射型表示装置で用いられるスクリーン装置は、背面から投射される映像を前面に精細に透過させる観点から、平板状のフレネルレンズとレンチキュラーレンズとを有している。フレネルレンズは、微小なプリズムを同心円パターンに配列したレンズであり、ミラーから放射状に入射する映像光を平行光化する機能を持っている。また、レンチキュラーレンズは、入射光を偏向させることによって視野角を広げる機能を持っている。
【０００５】
投射型表示装置では、このような２つの平板状のレンズを有するスクリーン装置を筐体に保持するため、筐体の前面枠部分（ベゼル：bezel）の裏側にスクリーン装置を配置し、金具等によって押さえて固定する構造となっている（例えば、特許文献１参照。）。
【０００６】
図１１および図１２は、従来の投射型表示装置におけるスクリーン装置の保持構造を説明する図であり、図１１（ａ）は投射型表示装置の正面図、（ｂ）は（ａ）の線矢視断面図、図１２は保持部分の拡大断面図である。図１１に示すように、投射型表示装置は、レンズシート１０(フレネルレンズ１０ａとレンチキュラーレンズ１０ｂとを重ねたもの)を筐体２０に取り付けた状態で背面カバー２１によって背面が覆われた構造となっている。
【０００７】
図１２に示すように、従来のスクリーン保持構造は、筐体２０の枠部分であるベゼル２０ａ、レンズシート１０、スクリーンホルダＨを用いており、ベゼル２０ａの裏面にレンズシート１０をスクリーンホルダＨによって押さえる構造となっている。ベゼル２０ａの裏面におけるレンズシート１０の外側にはボスＢが設けられており、このボスＢにスクリーンホルダＨをネジ止めすることによって、レンズシート１０の縁をスクリーンホルダＨで押さえ、ベゼル２０ａとの間で挟持する構造となっている。
【０００８】
【特許文献１】特開平１１−２４２２９３号公報
【発明の開示】
【発明が解決しようとする課題】
【０００９】
しかしながら、このような従来の投射型表示装置では、スクリーン装置とベゼルとが別部品となっており、ベゼルとスクリーンホルダとによってレンズシートを外側から挟み込むように支持する必要がある。つまり、レンズシートの寸法公差、温度変化、吸水による寸法変化に対応するため、ベゼルとスクリーンホルダとでレンズシートを保持する際には所定の余裕を設ける必要がある。このため、スクリーン装置の周縁より外側にベゼルがはみ出した状態となり、投射型表示装置の筐体の小型化を図る上で問題となっている。また、映像が表示される面に対してベゼルが突出するため、フラットな映像表示面を実現できず、デザイン上の制約を受けるという問題が生じている。
【課題を解決するための手段】
【００１０】
本発明は、このような課題を解決するために成されたものである。すなわち、本発明は、透光性を有する支持基板と、支持基板の中央部に設けられる映像表示領域に配置されるレンズシートと、支持基板における映像表示領域の周辺を覆う状態に設けられる遮光マスクとを備えるスクリーン装置である。また、本発明のスクリーン装置では、支持基板における遮光マスクが設けられる部分にカバーを取り付けるための支持部材が取り付けられている。また、レンズシートとしては、少なくともフレネルレンズとレンチキュラーレンズとが重ね合わされたものから成る。
【００１１】
このような本発明では、レンズシートを固定する支持基板の周辺を覆う状態に遮光マスクが設けられており、この遮光マスクがベゼルの役目を果たす状態となる。このため、遮光マスクの部分に支持部材を設け、この支持部材を介してカバーを取り付けることで、支持基板の内側にカバーを取り付けることができ、映像表示面である支持基板の外側には何も突出するものが存在しない状態となる。
【００１２】
また、本発明は、背面から映像が投射されるスクリーン装置と、スクリーン装置を前面として背面に取り付けられるカバーと、カバーの内部に設けられ、スクリーン装置の背面に向けて投射する映像を生成する画像形成部とを備える投射型表示装置であり、このスクリーン装置として、透光性を有する支持基板と、支持基板の中央部に設けられる映像表示領域に配置されるレンズシートと、支持基板における映像表示領域の周辺を覆う状態に設けられる遮光マスクとを備えるものである。また、本発明の投射型表示装置では、スクリーン装置の支持基板における遮光マスクが設けられる部分にカバーを取り付けるための支持部材が取り付けられている。また、支持基板の外形より内側にカバーを収めたものであある。また、レンズシートとしては、少なくともフレネルレンズとレンチキュラーレンズとが重ね合わされたものから成るものである。
【００１３】
このような本発明では、スクリーン装置におけるレンズシートを固定する支持基板の周辺を覆う状態に遮光マスクが設けられており、この遮光マスクがベゼルの役目を果たす状態となる。このため、遮光マスクの部分に支持部材を設け、この支持部材を介してカバーを取り付けることで、支持基板の内側にカバーを取り付けることができ、映像表示面である支持基板の外側には何も突出するものが存在しない状態となる。
【発明の効果】
【００１４】
本発明によれば、次のような効果がある。すなわち、支持基板の外側にベゼルが突出しない状態となり、投射型表示装置の筐体の小型化を図ることが可能となる。また、映像表示面には段差が発生せず、フラットな表示面のデザインを実現することが可能となる。
【発明を実施するための最良の形態】
【００１５】
以下、本発明の実施の形態を図に基づき説明する。
【００１６】
＜スクリーン装置＞
図１は、本実施形態に係るスクリーン装置を説明する模式斜視図である。すなわち、本実施形態に係るスクリーン装置１は、背面から投射された映像を前面側に映し出すもので、透光性を有する支持基板１１と、支持基板１１の中央部に設けられる映像表示領域に配置されるレンズシート１０と、支持基板１１における映像表示領域の周辺を覆う状態に設けられる遮光マスク１２とを備えるものである。
【００１７】
支持基板１１は、背面側にレンズシート１０を貼り付けるための支持台となるもので、ポリカーボネートやアクリル等の樹脂であって、透光性の優れたフラットな基板を用いる。なお、樹脂の代わりにガラス板を用いてもよい。樹脂の支持基板１１を用いる場合、厚さは例えば３ｍｍ〜５ｍｍのものを用い、映像を投射する最大サイズ（最大画面サイズ）より大きなサイズにする。
【００１８】
レンズシート１０は、少なくとも２枚の板状の光学シートを貼り合わせたものであり、２枚の光学シートとして、背面側（映像が投射される側）からフレネルレンズ１０ａと、レンチキュラーレンズ１０ｂとが順に貼り合わされた構成となっている。
【００１９】
２枚の光学シートのうちフレネルレンズ１０ａは、微小なプリズムを同心円パターンに配列したレンズであり、ミラーから放射状に入射する映像光を平行光化する機能を持っている。また、２枚の光学シートのうちレンチキュラーレンズ１０ｂは、入射光を偏向させることによって視野角を広げる機能を持っている。これらの光学シートは、例えばアクリルやポリカーボネートといった樹脂によって成形されており、接着剤を介して貼り合わされている。
【００２０】
フレネルレンズ１０ａおよびレンチキュラーレンズ１０ｂは映像のサイズである例えば４：３や１６：９といった横縦の比率に対応した矩形をなしており、先に説明した支持基板１１の背面側、中央部に設けられる映像表示領域に対応して接着剤等によって貼り付けられている。
【００２１】
遮光マスク１２は、支持基板１１における背面側で、映像表示領域の周辺を覆う状態に、例えば黒色の印刷によって設けられている。これにより、支持基板１１の背面側では、中央部の映像表示領域に対応してフレネルレンズ１０ａおよびレンチキュラーレンズ１０ｂから成るレンズシート１０が貼り付けられ、レンズシート１０の外側から支持基板１１の縁まで遮光マスク１２によって覆われた状態となる。一方、支持基板１１の前面側（映像を映し出す側）には何も設けられておらず、フラットな表示面となる。なお、支持基板１１の前面側には、傷付き防止等の観点から全面にハードコートを形成してもよい。
【００２２】
図２は、本実施形態に係るスクリーン装置の模式断面図で、図１に示すＡ−Ａ線断面を示している。なお、図２では、図中上側が背面側、図中下側が前面側となっている。透光性を有する支持基板１１の背面側、中央部となる映像表示領域には、フレネルレンズ１０ａとレンチキュラーレンズ１０ｂとを重ね合わせて成るレンズシート１０が貼り付けられている。一方、支持基板１１の背面側における映像表示領域の周辺、すなわちレンズシート１０の周辺には、レンズシート１０の周りを取り囲む状態に遮光マスク１２が設けられている。なお、遮光マスク１２とレンズシート１０とは若干の重なりを持たせておいてもよい。これにより、レンズシート１０と遮光マスク１２との間に隙間が生じることを防止できる。
【００２３】
本実施形態のスクリーン装置１では、支持基板１１の背面側にレンズシート１０および遮光マスク１２が設けられている一方、支持基板１１の前面側には何も設けられておらず、フラットな映像表示面を実現できる。
【００２４】
ここで、本実施形態では、図１および図２に示すスクリーン装置１の状態で流通するものであるが、背面カバーを取り付ける支持部材を取り付けた状態でスクリーン装置１を構成してもよい。図３は、支持部材の取り付けについて説明する模式断面図である。この図でも、図２と同様、図中上側が背面側、図中下側が前面側となっている。先に説明したように、スクリーン装置１は、透光性を有する支持基板１１の背面側にレンズシート１０が貼り付けられ、その周辺に遮光マスク１２が設けられている。図３に示す例では、この遮光マスク１２の位置に、背面カバーを取り付けるための支持部材１５を設けた構造となっている。
【００２５】
背面カバーは一般に、筐体の枠部分であるベゼルに取り付けられる構造となっているが、本実施形態のスクリーン装置１では、レンズシート１０の外側にベゼルが設けられないことから、支持基板１１に取り付ける必要がある。そこで、支持基板１１の遮光マスク１２の部分に支持部材１５を取り付け、この支持部材１５を介して背面カバーを取り付けるようにする。
【００２６】
支持部材１５は、例えばアルミニウムから成る金属や、所定の強度を備えた樹脂によって形成され、支持基板１１との接続面と背面カバーの取り付け部分とを備えた形状となっている。支持部材１５は、支持基板１１の遮光マスク１２の部分に例えは接着剤によって取り付けられている。遮光マスク１２の部分に支持部材１５を接着剤で取り付ける場合、遮光マスク１２の材料としては、遮光性とともに接着剤との馴染みのよいものを用いることが望ましい。また、支持部材１５が当接する部分に凹凸を設けておき、接着剤による接着面積を増すようにして接着強度を高めるようにしてもよい。
【００２７】
図３に示す支持部材１５の形状は一例では、これ以外の形状であってもよい。また、支持部材１５を別部品としたものを説明したが、支持基板１１と一体的なものであってもよい。例えば、支持基板１１の背面カバー取り付け部分に凸部や凹部を設けておき、これに背面カバーを係合させるようにしてもよい。
【００２８】
＜スクリーン装置の製造方法＞
図４〜図６は、本実施形態に係るスクリーン装置の製造方法を説明する図である。先ず、図４（ａ）に示すように、透光性の優れたフラットな支持基板１１を用意する。例えば、ポリカーボネートやアクリル等の樹脂で、厚さ３ｍｍ〜５ｍｍ、映像を投射する最大サイズよりやや大きなサイズのものを用いる。そして、この支持基板１１の裏面側で、中央部にある映像表示領域を除き、その周辺を覆う状態に遮光マスク１２を形成する。遮光マスク１２は、遮光性を有する例えば黒色のインクをスクリーン印刷等の手法で塗布する。遮光マスク１２の幅は、例えば２０ｍｍ〜３０ｍｍ程度とする。
【００２９】
次に、図４（ｂ）に示すように、遮光マスク１２を形成した支持基板１１の中央部にある映像表示領域にレンチキュラーレンズ１０ｂを貼り付ける。レンチキュラーレンズ１０ｂは、遮光マスク１２との間で若干オーバラップさせて貼り付ける。ここでは、約５ｍｍオーバラップさせて貼り付けている。図４（ｃ）は、レンチキュラーレンズと遮光マスクとのオーバラップ部分の拡大断面図である。レンチキュラーレンズ１０ｂは、遮光マスク１２の印刷領域の内側部分の一部にかかるよう重ねて貼り付けられる。この重ね合わせ（オーバラップ）の量は、レンチキュラーレンズ１０ｂの公差や位置決め精度を考慮しても遮光マスク１２との間に隙間を発生させない程度に設定する。
【００３０】
次に、図５（ａ）に示すように、支持基板１１における背面のレンチキュラーレンズ１０ｂを貼り付けた上にフレネルレンズ１０ａを重ねて貼り合わせる。図５（ｂ）は、フレネルレンズの貼り付け部分の拡大断面図である。フレネルレンズ１０ａは、先に貼り付けてあるレンチキュラーレンズ１０ｂより若干大きなサイズとなっており、レンチキュラーレンズ１０ｂを完全に覆う状態に貼り付けられる。したがって、フレネルレンズ１０ａも遮光マスク１２と一部オーバラップし、隙間なく貼り付けられることになる。
【００３１】
ここで、支持部材を取り付けないタイプもしくは支持部材が支持基板１１と一体になっているタイプでは、これまでの工程で本実施形態のスクリーン装置が完成する。一方、支持部材を取り付けるタイプでは、次の工程まで行う。
【００３２】
すなわち、支持部材を取り付けるタイプでは、図６に示すにように、支持基板１１における遮光マスク１２の部分に支持部材１５を取り付ける。支持部材１５は、例えばアルミニウムから成る金属を成型したもので、遮光マスク１２の部分に接着剤や両面接着テープによって固定される。支持部材１５は、遮光マスク１２の領域から外側に延出せず、内側のレンズシート１０にかからないよう取り付けられる。これにより、支持部材を備えるスクリーン装置が完成する。
【００３３】
なお、上記説明した製造工程にはないが、必要に応じて支持基板１１の前面側にハードコートを施してもよい。これにより、表示装置にセットした際に露出する支持基板１１の前面側の汚れ付着や傷付きを抑制できるようになる。
【００３４】
＜投射型表示装置＞
図７は、本実施形態に係る投射型表示装置を説明する模式斜視図である。投射型表示装置１００は、スクリーン装置１を前面として、背面側に背面カバー２１を設けて筐体２０を構成したもので、筐体２０の内部にスクリーン装置１の背面に向けて映像を投射する映像投射装置（図示せず）を備えた構成となっている。
【００３５】
この投射型表示装置１００のスクリーン装置１として、先に説明した本実施形態のスクリーン装置１を用いている。すなわち、スクリーン装置１は、透光性を有する支持基板１１と、支持基板１１の背面側で、中央部に設けられる映像表示領域に配置されるレンズシート１０と、支持基板１１の背面側で、映像表示領域の周辺を覆う状態に設けられる遮光マスク１２とを備えている。
【００３６】
本実施形態の投射型表示装置１００では、装置の前面にスクリーン装置１が配置されているが、このスクリーン装置１の前面側には支持基板１１の前面のみが露出する状態となり、背面側のレンズシート１０や遮光マスク１２は筐体２０内に隠れて見えないようになっている。また、スクリーン装置１の背面側に取り付けられる背面カバー２１が、スクリーン装置１の支持基板１１の外形より内側に収まるよう取り付けられており、背面カバー２１がスクリーン装置１の外形より外側にはみ出ることのない構造となっている。
【００３７】
図８は、スクリーン装置と背面カバーとの取り付け部分を説明する拡大断面図である。スクリーン装置１の支持基板１１の背面側における遮光マスク１２の部分には、背面カバー２１を取り付けるための支持部材１５が設けられている。支持部材１５は、遮光マスク１２と当接する接続部分１５ａと、この接続部分１５ａから立ち上がる凸部分１５ｂと、接続部分１５ａと略平行に設けられ、接続部分１５ａと所定の間隔を開けた位置に配置される取り付け部１５ｃとを備えた形状となっている。
【００３８】
支持部材１５の接続部分１５ａは、支持基板１１の端部から背面カバー２１の肉厚分だけ内側にずらした位置に取り付けられている。また、取り付け部１５ｃにはボルトＢを固定するネジ孔が設けられている。
【００３９】
支持部材１５の全体は、遮光マスク１２の領域の内側で、フレネルレンズ１０ａおよびレンチキュラーレンズ１０ｂから成るレンズシート１０にかからない範囲に配置されている。支持部材１５が遮光マスク１２の領域の内側に配置されることで、これに取り付ける背面カバー２１を支持基板１１から外側に突出させないよう小型化できるとともに、レンズシート１０にかからない位置に配置することで、支持部材１５と投影像の光路との干渉を発生させずに済む。
【００４０】
背面カバー２１は、支持基板１１との当接端２１ａと、当接端２１ａの内側に設けられる取り付け爪２１ｂと、支持部材１５との締結を行うための締結部２１ｃとを備えている。背面カバー２１を取り付けるには、当接端２１ａと取り付け爪２１ｂとの間に支持部材１５の凸部分１５ａを嵌合させるよう配置する。この嵌合によって背面カバー２１の当接端２１ａが支持基板１１の背面に当たると、そこで位置決めされることになる。取り付け爪２１ｂは背面カバー２１と一体成形されたものでもよいが、別部品で板バネを取り付けてもよく。この取り付け爪２１ｂのバネ性によって背面カバー２１の嵌合が確実に行われる。
【００４１】
背面カバー２１の嵌合を行うと、背面カバー２１の締結部２１ｃが支持部材１５の取り付け部１５ｃに重ね合わされる。締結部２１ｃには孔が設けられ、この孔と取り付け部１５ｃのネジ孔とが重なり合い、ボルトＢによって締結部２１ｃを取り付け部１５ｃに固定できるようになる。このボルトＢによる締結で、背面カバー２１が支持部材１５を介してスクリーン装置１に確実に固定されることになる。なお、締結部２１ｃと取り付け部１５ｃとの締結はボルトＢ以外の締結手段で行ってもよい。
【００４２】
このように背面カバー２１を取り付けると、支持部材１５が背面カバー２１の肉厚分だけ内側にずらして取り付けられていることから、背面カバー２１の外形ラインがスクリーン装置１の端部と一致した位置から連続的に構成され、スクリーン装置１の外側には筐体２０が突出せず、装置全体の小型化を図ることができるとともに、一体的なデザインを得ることが可能となる。
【００４３】
図９は、本実施形態に係る投射型表示装置の内部構成を説明する図である。スクリーン装置１は筐体２０の前面に位置し、背面から投射された映像を映し出す。スクリーン装置１の支持基板１１と背面ケース２１とによって構成される筐体２０には、内部に所定の部材を配置する空間が設けられる。筐体２０の内部には、下方に映像投射装置３０が配置され、背面ケース２１側に所定の角度で背面ミラー３１が配置されている。
【００４４】
映像投射装置３０は、例えば液晶素子とプリズム等の光学部品および拡大レンズ系によって構成される光学ユニットと、光源とを備えている。映像を表示する場合、光源から出射した光を光学ユニットに送り、この光を液晶素子によって映像として変調し、拡大レンズ系によって背面ミラー３１側へ送り出す。そして、背面ミラー３１で映像をスクリーン装置１側に反射し、映像をスクリーン本体１０に背面から投影することになる。
【００４５】
投射型表示装置１００では、投影像の拡大光路長を確保しつつ筐体２０の奥行きを短くする観点から、映像投射装置３０を筐体２０の下方に配置され、ここから上方向に向けて映像を出射する。そして、背面ミラー３１によってこれをスクリーン装置１側へと反射し、レンズシート１０の背面側から映像を投影することになる。
【００４６】
スクリーン装置１のレンズシート１０は、背面側からフレネルレンズ１０ａ、レンチキュラーレンズ１０ｂの順に貼り合わされた状態となっており、背面ミラー３１で反射した映像をフレネルレンズ１０ａによって平行光化し、レンチキュラーレンズ１０ｂによって視野角広く投影する。
【００４７】
このような投射型表示装置１００において、本実施形態のスクリーン装置１を用いることにより、スクリーン装置１の支持基板１１における背面の遮光マスク１２の部分で背面カバー２１を取り付けることができ、投射型表示装置１００の映像表示が行われる前面には支持基板１１の表面のみが露出し、ベゼル等の存在しないフラットなデザインを実現できる。また、支持基板１１の外側に突出するものがないため、投射型表示装置１００の筐体２０の小型化を図ることができる。
【００４８】
＜使用状態の説明＞
図１０は、本実施形態の投射型表示装置における使用状態を説明する正面図で、（ａ）は映像を表示していない状態、（ｂ）は映像を表示している状態を示している。本実施形態の投射型表示装置１では、筐体２０の前面に本実施形態のスクリーン装置１が配置されている。本実施形態のスクリーン装置１は、先に説明したように支持基板１１の前面側に突起物が存在しないフラットな形態となっている。また、スクリーン装置１の裏側に背面カバー（図示せず）が取り付けられるため、スクリーン装置１の外形より外側に背面カバーが突出しない。したがって、投射型表示装置１００全体としてフラットなスクリーン装置１が前面に大きく配置された状態となる。
【００４９】
図１０（ａ）に示すように、映像を表示していない状態では、投射型表示装置１００の前面にスクリーン装置１が一枚板のようなフラットなデザインで構成される。この際、スクリーン装置１の支持基板１１は透光性を有しているものの、映像を表示していない状態では中央の映像表示領域がレンズシートのブラックストライプ等によって内部から光がほとんど漏れず、周辺部分の遮光マスク１２と一体となって全面が一様な黒色に見える状態となる。
【００５０】
図１０（ｂ）に示すように、映像を表示している状態では、投射型表示装置１００の前面のスクリーン装置１における映像表示領域（遮光マスク１２より内側の領域）に映像が投影される。スクリーン装置１の前面にベゼルがないフラットなデザインのため、この面から映像が浮かび上がるような状態で表示されることになる。
【００５１】
＜実施形態の効果＞
本実施形態に係るスクリーン装置１では、前面にベゼル等の突起部分が存在しないことから、表示面のフラットなデザインを実現することが可能となる。また、ベゼルを用いないため、スクリーンまわりの厚さ(奥行き)を例えば１０ｍｍ以下程度の薄型にすることが可能となる。また、部品点数の削減によるコストダウン、作業性改善、遮光マスク１２の印刷を支持基板１１の背面側にすることで、映像を映しだしていないときの映像表示領域と遮光マスク１２との境を見えづらくし、電源ＯＦＦのときなど映像が表示されていない状態では一様な色のフラットなパネルデザインを実現し、電源ＯＮのときなど映像が表示される場合には前面パネルから投影像が浮かび上がるような表示を行うことが可能となる。
【００５２】
＜応用例＞
本実施形態では、スクリーン装置1の外側を囲むベゼルが不要となるため、スクリーン装置１の支持基板１１として種々の形状を容易に構成することが可能となる。すなわち、上記説明した矩形のほか、円形や楕円形、矩形以外の多角形、自由曲線のものを用いることもでき、種々のデザイン要求に対応することができる。また、支持基板１１の表面形状も平面のほか、湾曲した形状であっても可能である。
【００５３】
また、上記実施形態では、支持基板１１の背面側に遮光マスク１２を設ける例を説明したが、支持基板１１の前面側に設けてもよい。遮光マスク１２は印刷によって薄く形成できることから、支持基板１１の前面側に設けてもパネル前面の平坦性に大きな影響を与えることはない。
【図面の簡単な説明】
【００５４】
【図１】本実施形態に係るスクリーン装置を説明する模式斜視図である。
【図２】本実施形態に係るスクリーン装置の模式断面図で、図１に示すＡ−Ａ線断面を示している。
【図３】支持部材の取り付けについて説明する模式断面図である。
【図４】本実施形態に係るスクリーン装置の製造方法を説明する図（その１）である。
【図５】本実施形態に係るスクリーン装置の製造方法を説明する図（その２）である。
【図６】本実施形態に係るスクリーン装置の製造方法を説明する図（その３）である。
【図７】本実施形態に係る投射型表示装置を説明する模式斜視図である。
【図８】スクリーン装置と背面カバーとの取り付け部分を説明する拡大断面図である。
【図９】本実施形態に係る投射型表示装置の内部構成を説明する図である。
【図１０】本実施形態の投射型表示装置における使用状態を説明する正面図である。
【図１１】従来の投射型表示装置におけるスクリーン装置の保持構造を説明する図（その１）である。
【図１２】従来の投射型表示装置におけるスクリーン装置の保持構造を説明する図（その２）である。
【符号の説明】
【００５５】
１…スクリーン装置、１０…レンズシート、１０ａ…フレネルレンズ、１０ｂ…レンチキュラーレンズ、１１…支持基板、１２…遮光マスク、１５…支持部材、２０…筐体、２１…背面カバー、１００…投射型表示装置
【図１】
2009168871.tif 000003
【図２】
2009168871.tif 000004
【図３】
2009168871.tif 000005
【図４】
2009168871.tif 000006
【図５】
2009168871.tif 000007
【図６】
2009168871.tif 000008
【図７】
2009168871.tif 000009
【図８】
2009168871.tif 000010
【図９】
2009168871.tif 000011
【図１０】
2009168871.tif 000012
【図１１】
2009168871.tif 000013
【図１２】
2009168871.tif 000014